(57)【要約】【課題】一又は複数の実施形態において、火力発電ボイラにおけるクリンカをコントロールする方法を提供する。【解決手段】一又は複数の実施形態において、火力発電ボイラの熱交換部のクリンカをコントロールする方法であって、ボイラ（１）が、ボイラ内へ燃料を供給する供給口（３）及びその供給口近傍に開口部を備えるものであり、前記ボイラ（１）の運転中に、前記開口部に噴霧管を挿入すること、及び、前記噴霧管からクリンカ改質薬剤を火炉（２）内に噴霧注入することを含む方法。【選択図】図１
2016020799.tif 000002
【特許請求の範囲】
【請求項１】
火力発電ボイラの熱交換部のクリンカをコントロールする方法であって、
前記ボイラが、ボイラ内へ燃料を供給する供給口及び前記供給口近傍に開口部を備えるものであり、前記ボイラの運転中に、前記開口部に噴霧管を挿入すること、及び、前記噴霧管からクリンカ改質薬剤を炉内に噴霧注入することを含む、方法。
【請求項２】
前記薬剤を前記開口部から過熱器管に到達させることを含む、請求項１記載の方法。
【請求項３】
前記ボイラが、ボイラ内へ燃料を供給する供給口及び前記供給口近傍に開口部をそれぞれ複数備えるものであり、
ボイラ内のクリンカ発生パターンに応じて各開口部からの前記薬剤の注入量を調節することを含む、請求項１又は２に記載の方法。
【請求項４】
前記ボイラが、ボイラ内へ燃料を供給する供給口及び前記供給口近傍に開口部をそれぞれ複数備えるものであり、
薬剤の噴霧注入が、１つのポンプから複数分岐した噴霧管を前記複数の開口部に挿入して行われる、請求項１から３のいずれかに記載の方法。
【請求項５】
ボイラ内のクリンカ発生パターンに応じて各噴霧管からの前記薬剤の注入量を調節することを含む、請求項４に記載の方法。
【請求項６】
薬剤の注入量の調節が、前記噴霧管の径、又は、前記噴霧管に取り付けられたバルブで調節される、請求項４又は５に記載の方法。
【請求項７】
薬剤の注入量の調節は、各開口部から噴霧注入された薬剤がボイラ内のどの部分に到達するかの情報に基づく、請求項３から６のいずれかに記載の方法。
【請求項８】
前記クリンカ改質薬剤が、硝酸塩を含む薬剤である、請求項１から７のいずれかに記載の方法。
【請求項９】
前記クリンカ改質薬剤が、硝酸アンモニウム、硝酸カリウム、硝酸マグネシウム、硝酸銅、及び水を含有する薬剤である、請求項１から８のいずれかに記載の方法。
【発明の詳細な説明】
【技術分野】
【０００１】
本開示は、クリンカをコントロールする方法に関する。
【背景技術】
【０００２】
火力発電ボイラの熱交換部（蒸発管、スーパーヒータ（過熱器）、エコマイザ、空気予熱器など）には、燃焼した燃料の灰の成分に由来すると考えられるクリンカが付着する。クリンカはボイラ内で時間と共に成長し、熱交換の妨げや、巨大クリンカの落下によるボイラの損傷という問題が生じる。
【０００３】
特許文献１及び２は、廃棄物焼却プラントにおいてクリンカ防止剤及び抑制剤を噴射することを含むクリンカ防止及び抑制方法を開示する。特許文献３は、火力発電ボイラ等に使用する、金属化合物粒子を含有するクリンカ防止剤を開示する。特許文献４は、ボイラ等に使用する、４種類の硝酸塩を含む洗浄剤組成物を開示する。
【先行技術文献】
【特許文献】
【０００４】
【特許文献１】特開２００６−０２９７０１号公報
【特許文献２】特開２００８−２４１０７８号公報
【特許文献３】特開２０１２−１８９２９５号公報
【特許文献４】韓国特許第１０−０６８６３６１号
【発明の概要】
【発明が解決しようとする課題】
【０００５】
火力発電のような巨大なボイラの場合、熱交換部に発生し成長するクリンカは数百キログラムから数トンにまでなることがある。そのため、ボイラを停止して行うクリンカ除去清掃作業に数日以上を要することもあり、運転効率の低下が問題となっている。また、巨大なクリンカが例えば過熱器管から自重のため剥離して落下すると、ボイラ内部が損傷するという問題もある。これらの問題に対して、クリンカの成長を抑制したり、クリンカが大きく成長する前に落下させたりするクリンカ改質薬剤が開発されている（特許文献１〜４）。しかしながら、これらの薬剤を火力発電のような巨大なボイラの熱交換部にどのように適用するかが問題になる。手間及びコストの点、並びに、クリンカの抑制の点から、効率的で効果的な薬剤の適用方法が望まれている。
【０００６】
本開示は、一又は複数の実施形態において、火力発電ボイラにおけるクリンカをコントロールする方法を提供する。
【課題を解決するための手段】
【０００７】
本開示は、一又は複数の実施形態において、火力発電ボイラの熱交換部のクリンカをコントロールする方法であって、前記ボイラが、ボイラ内へ燃料を供給する供給口及び前記供給口近傍に開口部を備えるものであり、前記ボイラの運転中に、前記開口部に噴霧管を挿入すること、及び、前記噴霧管からクリンカ改質薬剤を炉内に噴霧注入することを含む、方法に関する。
【発明の効果】
【０００８】
本開示に係るクリンカのコントロール方法によれば、一又は複数の実施形態において、火力発電ボイラにおけるクリンカの成長を抑制できる。
【図面の簡単な説明】
【０００９】
【図１】図１は、火力発電のボイラの一実施形態を説明する概略図である。
【図２】図２は、対向式と呼ばれる供給口（バーナ）３及びその開口部（点検口）の配置を説明する、火炉２の概略上面図である。
【図３】図３は、コーナー式と呼ばれる供給口（バーナ）３及びその開口部（点検口）の配置を説明する、火炉２の概略上面図である。
【図４】図４は、炉内観察窓の配置の一実施形態を説明する概略図である。
【図５】図５は、薬剤注入方法の一実施形態を説明する概略図である。
【発明を実施するための形態】
【００１０】
本開示は、火力発電ボイラのような大型ボイラの熱交換部にクリンカに対する薬剤を到達させる場合、ボイラの運転中にボイラ内へ燃料を供給する供給口（バーナ）の近傍の開口部から噴霧注入すれば、ボイラを運転しながら、効果的に熱交換部に薬剤を到達させることができるという知見に基づく。前記開口部とは、一又は複数の実施形態において前記供給口の点検口であって、ボイラの運転中にボイラ内へ燃料を供給する供給口の点検口でもよいし、熱電対温度計を設置する開口部、軽油等を供給する開口部でもよいし、加工により新たな開口部を設けてもよい。すなわち、本開示は、一態様において、火力発電ボイラの熱交換部のクリンカをコントロールする方法であって、前記ボイラが、ボイラ内へ燃料を供給する供給口及び前記供給口近傍に開口部を備えるものであり、前記ボイラの運転中に、前記開口部に噴霧管を挿入すること、及び、前記噴霧管からクリンカ改質薬剤を炉内に噴霧注入することを含む方法（以下、「本開示に係る方法」ともいう）に関する。
【００１１】
本開示に係る方法によれば、一又は複数の実施形態において、通常、供給口から離れて配置される過熱器管にも効率良く薬剤を到達させることができる。
【００１２】
本開示に係る方法について、限定されない一実施形態を説明する。本開示の方法は、図１の概略図に示すような火力発電のボイラ１で行われうる。ボイラ１は、火炉２の側壁に多段のバーナ３を備える。各段において、バーナ３は、後述するように、図２又は図３の概略上面図に示すような位置に配置されうる。火炉２の上部には、過熱器（スーパーヒータ）４、再熱器５が配置される。さらに、ボイラ１は、横型過熱器６、節炭器（エコノマイザ）７、脱硝装置８、空気予熱器９、電気集塵器１０を備える。ボイラ１において、節炭器７を通った水は、火炉２の水冷壁を通って蒸気となり、汽水分離器（図示せず）から出た蒸気は過熱器４の過熱器管へ送られた後、高圧蒸気タービンに送られ発電に供される。高圧蒸気タービンで使用された蒸気はその後、再熱器５で再加熱された後、中圧蒸気タービンに使用されることもある。火炉２内の加熱は、バーナ（燃料供給口）３から行われ、燃焼ガス１１が排出される。ボイラ１は、バーナ３を点検するため開口部（点検口）を備えている。この開口部（点検口）に噴霧管が挿入され、ボイラ１の運転中に薬剤が火炉２内に噴霧注入される。注入された薬剤は、バーナ３が発生させる気流にのって火炉２内の熱交換部（過熱器４、再熱器５、蒸発管など）に到達する。
【００１３】
なお、本開示において、「ボイラ内へ燃料を供給する供給口」は、一又は複数の実施形態において、バーナである。また、前記供給口の「前記供給口近傍の開口部」とは、一又は複数の実施形態において、バーナの火力等を点検するための点検窓であってボイラの運転中でも開閉可能なものや、熱電対温度計等の計測機器を設置するための開口部、軽油等を供給するための開口部であってもよいし加工により供給口近傍に設けられた開口部などが挙げられる。本開示において熱交換部は、一又複数の実施形態において、熱交換器の管であり、蒸発管、過熱器管、再熱器管などが挙げられる。
【００１４】
本開示において、「クリンカ改質薬剤」は、一又複数の実施形態において、「クリンカ防止剤」及び「クリンカ抑制剤」など、クリンカの発生及び／又は成長を防止又は抑制するものを含む。本開示において、単に「薬剤」というときは、「クリンカ改質薬剤」を指す。本開示において、「クリンカをコントロールする」とは、一又は複数の実施形態において、クリンカの発生及び／又は成長を防止又は抑制することをいう。クリンカの成長の防止又は抑制は、クリンカが大きくなる前に自重で全部又は一部が熱交換器管からはがれて落下することを含む。本開示において、「クリンカをコントロールする」とは、一又は複数の実施形態において、クリンカを改質することを含む。クリンカの改質は、クリンカが大きくなる前にクリンカの全部又は一部が熱交換器管からはがれて落下しやすくすること、及び／又は、ボイラを止めて行う清掃時に剥がし易くすることを含む。
【００１５】
火力発電ボイラは、一般的に、ボイラ内へ燃料を供給する供給口及びその開口部（点検口）をそれぞれ複数備える。該供給口及び開口部の配置の限定されない一又は複数の実施形態を図２及び３に示す。図２及び３は、該供給口及び開口部３の配置を示すための火炉２の概略上面図である。図２に示すボイラの火炉２は、向かい合う面にそれぞれ４つずつ該供給口及び開口部３を備える。また、図３に示すボイラ火炉２は、４つのコーナーに該供給口及びその開口部３を備える。本開示に係る方法は、一又は複数の実施形態において、複数の開口部から薬剤を注入することを含む。
【００１６】
本開示は、一又は複数の実施形態において、火力発電ボイラにおけるクリンカの発生及び成長が、ボイラによって発生場所や成長スピードが異なるという知見に基づく。すなわち、本開示に係る方法は、一又は複数の実施形態において、ボイラ内のクリンカ発生パターンに応じて各開口部からの薬剤の注入量を調節することを含む。これにより、薬剤の無駄を削減でき、かつ／或いは、より効率的なクリンカのコントロールが可能となる。本実施形態は、一又は複数の実施形態において、各開口部から噴霧注入された薬剤がボイラ内のどの部分に到達するかの情報に基づいて行うと、クリンカコントロールの効率がより向上されうる。
【００１７】
本開示に係る方法の一又は複数の実施形態において、薬剤の噴霧注入は、１つのポンプから複数分岐した噴霧管を前記開口部に挿入して行ってもよい。例えば、図５に示すように、２つに分岐した噴霧管２０をバーナ３の開口部Ｆ３及びＦ４に挿入し、同時に薬剤を噴霧注入することが挙げられる。なお、噴霧管の分岐数は、２に限定されず、３、４、５、６、７、又は８であってもよい。これにより薬剤注入が簡便となり作業時間が低減されうる。本実施形態は、一又は複数の実施形態において、上述のとおり、ボイラ内のクリンカ発生パターンに応じて各噴霧管からの前記薬剤の注入量を調節することを含んでもよい。注入量の調節方法は、限定されない一又は複数の実施形態として、前記噴霧管の径による調節、前記噴霧管に取り付けられたバルブによる調節が挙げられる。また、本実施形態は、一又は複数の実施形態において、上述のとおり、各開口部から噴霧注入された薬剤がボイラ内のどの部分に到達するかの情報に基づいて行うと、クリンカコントロールの効率がより向上されうる。
【００１８】
本開示に係る方法における薬剤の噴霧注入の方法としては、限定されない一又は複数の実施形態において、液体形態の薬剤をポンプ等で加圧し、噴霧管の先端に装着したスプレーノズルから噴霧する方法が挙げられる。
【００１９】
［クリンカ改質剤］
本開示に係る方法に使用するクリンカ改質剤は、クリンカをコントロールできる従来又は今後開発されるクリンカ改質剤を使用してよい。本開示に係る方法の一又は複数の実施形態において、クリンカの発生及び／又は成長を防止又は抑制する観点から、クリンカ改質剤としては、硝酸塩を含むものが好ましく、特許文献４で挙げられる組成物が挙げられる。
【００２０】
本開示において、薬剤は、一又は複数の実施形態において、クリンカの発生及び／又は成長を防止又は抑制する観点から、硝酸アンモニウム、硝酸カリウム、硝酸マグネシウム、硝酸銅、及び水を含有する薬剤である。本実施形態の一又は複数の実施形態として、硝酸アンモニウム１．０〜６５．０重量部、硝酸カリウム１．０〜２５．０重量部、硝酸マグネシウム０．１〜５５．０重量部、硝酸銅０．１〜６０．０重量部、及び水２〜７００重量部を含有する薬剤があげられ、その他の一又は複数の実施形態として、硝酸アンモニウム１．０〜２０．０重量部、硝酸カリウム１．０〜２５．０重量部、硝酸マグネシウム０．１〜３０．０重量部、硝酸銅０．２〜３０．０重量部、及び水３〜５００重量部を含有する薬剤があげられ、さらにその他の一又は複数の実施形態として、硝酸アンモニウム１．０〜１５．０重量部、硝酸カリウム１．０〜２０．０重量部、硝酸マグネシウム０．５〜１０．０重量部、硝酸銅０．２〜５．０重量部、及び水５〜３００重量部を含有する薬剤があげられる。
【００２１】
クリンカ改質剤が硝酸塩を含む上述した実施形態である場合、本開示に係る方法における薬剤の流入量としては、一又は複数の実施形態において、対象伝熱面積（１０００ｍ2）あたりの薬剤噴霧量が２〜１０Ｌ、噴霧速度は５〜１５Ｌ／分、噴霧頻度は１〜１４回／週である。本開示に係る方法は、一又は複数の実施形態において、ボイラの運転時に上記頻度で行うことが挙げられ、或いは、上記頻度の実施を１〜３カ月、又は、１．５〜２カ月の期間で行うことが挙げられる。または、ボイラの運転時に期間を定めずに添加しても良い。
【００２２】
本開示は、その他の態様において、クリンカ改質薬剤の注入方法であって、ボイラ内へ燃料を供給する供給口及びその供給口近傍に開口部を備える火力発電ボイラに対し、前記ボイラの運転中に、前記開口部に噴霧管を挿入すること、及び、前記噴霧管からクリンカ改質薬剤を炉内に噴霧注入することを含む方法に関する。本態様の注入方法によれば、一又は複数の実施形態において、ボイラを運転しながら、効果的に熱交換部に薬剤を到達させることができる。また、本態様の注入方法によれば、一又は複数の実施形態において、通常、供給口から離れて配置される過熱器管にも効率良く薬剤を到達させることができる。本態様の実施形態（例えば、注入方法及び薬剤の実施形態）については、上述のクリンカコントロール方法を参照できる。
【００２３】
本開示は、以下の一又は複数の実施形態に関しうる；
［１］  火力発電ボイラの熱交換部のクリンカをコントロールする方法であって、
前記ボイラが、ボイラ内へ燃料を供給する供給口及びその供給口近傍に開口部を備えるものであり、
前記ボイラの運転中に、前記開口部に噴霧管を挿入すること、及び、
前記噴霧管からクリンカ改質薬剤を炉内に噴霧注入することを含む、方法。
［２］  前記薬剤を前記開口部から過熱器管に到達させることを含む、［１］記載の方法。
［３］  前記ボイラが、ボイラ内へ燃料を供給する供給口及びその供給口近傍に開口部をそれぞれ複数備えるものであり、ボイラ内のクリンカ発生パターンに応じて各開口部からの前記薬剤の注入量を調節することを含む、［１］又は［２］に記載の方法。
［４］  前記ボイラが、ボイラ内へ燃料を供給する供給口及びその供給口近傍に開口部をそれぞれ複数備えるものであり、薬剤の噴霧注入が、１つのポンプに挿入して行われる、［１］から［３］のいずれかに記載の方法。
［５］  ボイラ内のクリンカ発生パターンに応じて各噴霧管からの前記薬剤の注入量を調節することを含む、［４］に記載の方法。
［６］  薬剤の注入量の調節が、前記噴霧管の径、又は、前記噴霧管に取り付けられたバルブで調節される、［４］又は［５］に記載の方法。
［７］  薬剤の注入量の調節は、各開口部から噴霧注入された薬剤がボイラ内のどの部分に到達するかの情報に基づく、［３］から［６］のいずれかに記載の方法。
［８］  前記クリンカ改質薬剤が、硝酸塩を含む薬剤である、［１］から［７］のいずれかに記載の方法。
［９］  前記クリンカ改質薬剤が、硝酸アンモニウム、硝酸カリウム、硝酸マグネシウム、硝酸銅、及び水を含有する薬剤である、［１］から［８］のいずれかに記載の方法。
［１０］  クリンカ改質薬剤の注入方法であって、
ボイラ内へ燃料を供給する供給口及びその供給口近傍に開口部を備える火力発電ボイラに対し、
前記ボイラの運転中に、前記開口部に噴霧管を挿入すること、及び、
前記噴霧管からクリンカ改質薬剤を炉内に噴霧注入することを含む、方法。
［１１］  前記薬剤を前記開口部から過熱器管に到達させることを含む、［１０］記載の方法。
［１２］  前記ボイラが、ボイラ内へ燃料を供給する供給口及びその供給口近傍に開口部をそれぞれ複数備えるものであり、ボイラ内のクリンカ発生パターンに応じて各開口部からの前記薬剤の注入量を調節することを含む、［１０］又は［１１］に記載の方法。
［１３］  前記ボイラが、ボイラ内へ燃料を供給する供給口及びその供給口近傍に開口部をそれぞれ複数備えるものであり、薬剤の噴霧注入が、１つのポンプから複数分岐した噴霧管を前記複数の開口部に挿入して行われる、［１０］から［１２］のいずれかに記載の方法。
［１４］  ボイラ内のクリンカ発生パターンに応じて各噴霧管からの前記薬剤の注入量を調節することを含む、［１３］に記載の方法。
［１５］  薬剤の注入量の調節が、前記噴霧管の径、又は、前記噴霧管に取り付けられたバルブで調節される、［１３］又は［１４］に記載の方法。
［１６］  薬剤の注入量を調節は、各開口部から噴霧注入された薬剤がボイラ内のどの部分に到達するかの情報に基づく、［１２］から［１５］のいずれかに記載の方法。
［１７］  前記クリンカ改質薬剤が、硝酸塩を含む薬剤である、［１０］から［１６］のいずれかに記載の方法。
［１８］  前記クリンカ改質薬剤が、硝酸アンモニウム、硝酸カリウム、硝酸マグネシウム、硝酸銅、及び水を含有する薬剤である、［１０］から［１７］のいずれかに記載の方法。
【００２４】
以下の実施例及び比較例に基づいて本開示を説明するが、本開示はこれに限定されるものではない。
【実施例】
【００２５】
石炭火力発電所のボイラにて試験を実施した。
［クリンカ改質薬剤噴霧前におけるクリンカ付着状況の確認］
ボイラ内の２つの過熱器（２ＳＨ：二次過熱器、３ＳＨ：三次過熱器）について、クリンカ改質薬剤噴霧前におけるクリンカ付着状況を缶前方向にある８つの小型の炉内観察窓（図４の概略図参照）から目視で確認した。二次過熱器は「缶前」側の天井にある過熱器であり、三次過熱器は、二次過熱器の奥側の過熱器である。クリンカ付着状況の評価は下記基準とした。その結果を表１に示す。表１において、実施例１と実施例２とでは、観察したボイラは同じであるが、観察した時期が異なる例である。
＜クリンカ付着評価基準＞
１：クリンカ付着ほぼなし
２：クリンカ付着少量
３：クリンカ付着多量
【００２６】
【表１】
2016020799.tif 000003
【００２７】
表１に示すとおり、缶内の外側（缶前右８，７，２，１）より内側（缶前右６，５，４，３）が汚れやすいことが確認された。
【００２８】
［クリンカ改質薬剤の噴霧］
クリンカ改質薬剤を以下の条件で噴霧注入した。実施例１では８つの開口部（点検口）（Ｆ１〜Ｆ８，図５）から均一に噴霧注入し、実施例２では、表１の結果に基づき、噴霧注入量を調製した。噴霧注入量の調製はノズル径を変えることで行った。その後、缶前方向にある１６カ所の大型の炉内観察窓（缶前右１〜１６）から目視でクリンカ付着状況を評価し、薬剤噴霧前後で比べた。その結果を表２に示す。なお、表２の缶前右１及び２は表１における缶前右１から観察されるのとほぼ同じ箇所の過熱器管を観察している。以降、表２の缶前右３及び４は表１における缶前右２に対応するように、順次対応している。
＜クリンカ改質薬剤（実施例１及び２共通）＞
硝酸アンモニウム：８．００重量％
硝酸カリウム：１４．００重量％
硝酸マグネシウム：２．３１重量％
硝酸銅：１．２４重量％
水：７４．４５重量％
＜薬剤注入場所＞
多段あるバーナの一番上段のバーナ付近の開口部（点検口）から噴霧注入した。該バーナの配置の概略図を図５に示す。Ｆ１〜Ｆ８の８つの開口部（点検口）を使用した。
＜薬剤注入量＞
実施例１：４００ｋｇ／日×２０日＝８，０００ｋｇ
実施例２：３００ｋｇ／日×２１日＝６，３００ｋｇ
＜注入頻度＞
１回／２箇所／日
＜注入割合（重量割合）＞
実施例１（均一噴霧）
Ｆ１：Ｆ２：Ｆ７：Ｆ８＝１：１：１：１
Ｆ４：Ｆ３：Ｆ６：Ｆ５＝１：１：１：１
実施例２（ノズル径調製）
Ｆ１：Ｆ２：Ｆ７：Ｆ８＝１：２．４：１．４：１．４
Ｆ４：Ｆ３：Ｆ６：Ｆ５＝１：２．４：１．４：１．４
＜注入方法＞
１日目、Ｆ１＆Ｆ２を同時噴霧して予定量を薬注し終わったら、同様にＦ７＆Ｆ８を同時噴霧。
２日目、Ｆ４＆Ｆ３を同時噴霧して予定量を薬注し終わったら、同様にＦ６＆Ｆ５を同時噴霧。
以下、その繰り返し。
＜注入装置＞
薬剤注入装置吐出圧力が１０ＭＰａ、吐出量１５Ｌ／分のポンプ、薬注タンク（容量１０００Ｌ）及び、薬剤を噴霧するノズルを備える装置を使用した。
【００２９】
【表２】
2016020799.tif 000004
【００３０】
表２に示すとおり、実施例１及び２において、薬剤の噴霧後にクリンカ付着の改善がみられ、改善効果は実施例１よりも実施例２が大きかった。
【００３１】
［クリンカ除去作業］
クリンカ改質薬剤の噴霧注入後、火炉内のクリンカ除去作業を行った。クリンカを除去するまでに要した時間を下記表３に示す。また、薬剤を使用していなかった従来のクリンカ除去作業期間も併せて示す。
【００３２】
【表３】
2016020799.tif 000005
【００３３】
表３に示す通り、薬剤を用いることで、薬剤を使わない場合に比べて、実施例１及び２において大幅にクリンカ除去作業時間を短縮できた。また、薬剤量は、実施例１では８，０００ｋｇであり、実施例２では６，３００ｋｇに減っているにも関わらずクリンカ除去に要した作業期間は、表３に示す通り、実施例１よりも実施例２において大幅に短縮されている。クリンカが改質されて物理的に弱くなったためと考えられる。すなわち、実施例２においてノズル径を変えて注入量を調節することにより、少ない薬剤量でコスト面及び環境に優しいだけでなく、クリンカ除去作業時間も大幅に短縮できることが示された。
【符号の説明】
【００３４】
１  ボイラ
２  火炉
３  バーナ
４  過熱器
５  再熱器
６  横型過熱器
７  節炭器
８  脱硝装置
９  空気予熱器
１０  電気集塵器
１１  燃焼ガス
２０  噴霧管
【図１】
2016020799.tif 000006
【図２】
2016020799.tif 000007
【図３】
2016020799.tif 000008
【図４】
2016020799.tif 000009
【図５】
2016020799.tif 000010